(57)【要約】【課題】後部軸支の回動展開型グレンタンクの前側に張出部を膨出したものにあって、ロック解除と回動展開の操作レバーの操作性を確保しつつ、伝動系の構成の簡易化が可能なコンバインを提供する。【解決手段】コンバインは、脱穀装置（４）とグレンタンク（５）を左右に並置し、グレンタンク（５）の上部から前方に膨出した張出部（５ａ）を備えるとともに、後端部を軸支して構成され、上記グレンタンク（５）には、２つのロック機構（１３，１４）を設け、一方は、脱穀装置（４）側を係止固定する可動フック（１３ａ）によって構成し、他方は、前壁（５ｂ）の下部を係止固定する上下スライド動作可能なロックピン（１４ａ）によって構成し、これらとワイヤーで連結して機体外側方向（Ｂ）への操作で共に係止解除させる操作レバー（１６）を張出部（５ａ）の張出範囲（Ａ）内の下方位置に設けたものである。【選択図】図４
2011109957.tif 000002
【特許請求の範囲】
【請求項１】
走行装置（２）によって支持した機台（２ａ）上に脱穀装置（４）とグレンタンク（５）を左右に並置し、そのグレンタンク（５）には前縁部を画成する前壁（５ｂ）の上部から前方に膨出した張出部（５ａ）を備えるとともに、同グレンタンク（５）を機台（２ａ）からその外側方に回動可能にその後端部を縦支軸（１２ａ，１２ｂ）に軸支して構成したコンバインにおいて、
上記グレンタンク（５）には、その外側方への回動を規制する２つのロック機構を設け、該２つのロック機構のうちの第１のロック機構（１３）は、グレンタンク（５）の脱穀装置（４）の側の部位を該脱穀装置（４）側に係止して固定する可動フック（１３ａ）によって構成し、第２のロック機構（１４）は、前壁（５ｂ）の下部を機台（２ａ）側に係止して固定する上下スライド動作可能なロックピン（１４ａ）によって構成し、これら第１のロック機構（１３）および第２のロック機構（１４）のそれぞれと連結する制御用のワイヤー（１３ｂ，１４ｂ）を介して機体外側方向（Ｂ）への操作により同ロック機構（１３，１４）を共に係止解除させる操作レバー（１６）を張出部（５ａ）の張出範囲（Ａ）内の下方の位置に設けたことを特徴とするコンバイン。
【請求項２】
前記第１のロック機構（１３）に連結するワイヤー（１３ｂ）を、張出部（５ａ）の下面とグレンタンク（５）の前壁（５ｂ）および奥壁（５ｄ）に沿って配索し、前記第２のロック機構（１４）に連結するワイヤー（１４ｂ）を、張出部（５ａ）の下面とグレンタンク（５）の前壁（５ｂ）の下部に沿って配索したことを特徴とする請求項１記載のコンバイン。
【発明の詳細な説明】
【技術分野】
【０００１】
本発明は、グレンタンクを機台の外側方に展開動作可能に軸支して構成したコンバインに関するものである。
【背景技術】
【０００２】
コンバインは、特許文献１に記載されているように、走行装置によって支持した機台上に脱穀装置とグレンタンクを左右に並置するとともに、箱形構成のグレンタンクの後端部を縦支軸に軸支して外側方に回動展開可能に構成することにより、機体中央部、特に脱穀装置のグレンタンク側、原動機、走行伝動部等のメンテナンスを容易にした例が知られている。
【０００３】
上記グレンタンクには、機台上に安定して係止固定させるための２つのロック機構、すなわち、脱穀装置側でグレンタンクの倒れを規制する第１のロック機構とグレンタンクの前端を画成する前壁の下部で回動を規制する第２のロック機構とを備え、その系脱動作のためのロッド構成の伝動リンクを連結した操作レバーをグレンタンクの前壁に設けることにより、メンテナンスの際にオペレータが機体の外側位置から操作レバーを引いて２つのロック機構を解除するとともに、グレンタンクを後端部の支軸を中心に機体の外側方に容易に回動展開することができる。
【先行技術文献】
【特許文献】
【０００４】
【特許文献１】特開２０００−１７５５５１号公報
【発明の概要】
【発明が解決しようとする課題】
【０００５】
しかしながら、グレンタンクの前壁の上部から更に前方に張出部を膨出したものにあっては、２つのロック機構を操作するための伝動リンクが張出部による凹凸形状表面に沿うように複雑なロッド構成とせざるを得ず、それに伴う操作抵抗の増大による操作性の低下をも招き、また、グレンタンクの全長寸法が張出部によって長くなることから、前壁位置の操作レバーによってグレンタンクを回動展開する際に大きな操作力を強いられるという多くの問題が避けられなかった。
【０００６】
本発明の目的は、グレンタンクの後端部を縦支軸に軸支して機体の外側方に回動展開可能に構成し、かつ、グレンタンクの前壁の上部から更に前方に張出部を膨出したものにあって、機台上に安定固定させるためのロック機構の操作レバーおよびその伝動系の操作性を確保するとともに、張出部によって長い全長寸法を有するグレンタンクを容易に回動展開することができるコンバインを提供することにある。
【課題を解決するための手段】
【０００７】
請求項１に係る発明は、走行装置（２）によって支持した機台（２ａ）上に脱穀装置（４）とグレンタンク（５）を左右に並置し、そのグレンタンク（５）には前縁部を画成する前壁（５ｂ）の上部から前方に膨出した張出部（５ａ）を備えるとともに、同グレンタンク（５）を機台（２ａ）からその外側方に回動可能にその後端部を縦支軸（１２ａ，１２ｂ）に軸支して構成したコンバインにおいて、上記グレンタンク（５）には、その外側方への回動を規制する２つのロック機構を設け、該２つのロック機構のうちの第１のロック機構（１３）は、グレンタンク（５）の脱穀装置（４）の側の部位を該脱穀装置（４）側に係止して固定する可動フック（１３ａ）によって構成し、第２のロック機構（１４）は、前壁（５ｂ）の下部を機台（２ａ）側に係止して固定する上下スライド動作可能なロックピン（１４ａ）によって構成し、これら第１のロック機構（１３）および第２のロック機構（１４）のそれぞれと連結する制御用のワイヤー（１３ｂ，１４ｂ）を介して機体外側方向（Ｂ）への操作により同ロック機構（１３，１４）を共に係止解除させる操作レバー（１６）を張出部（５ａ）の張出範囲（Ａ）内の下方の位置に設けたことを特徴とするコンバインとする。
【０００８】
上記張出部（５ａ）を有するグレンタンク（５）は、２つのロック機構（１３，１４）によって機台（２ａ）に係止されて固定され、また、張出部（５ａ）の下方位置から機体外側方向への操作レバー（１６）の操作により、ワイヤーを介して同ロック機構（１３，１４）による係止が解除され、この時、操作レバー（１６）による機体外側方向への操作力と、グレンタンク（５）の後部の支点である縦支軸（１２ａ，１２ｂ）までの距離とによる回動モーメントがグレンタンク（５）に作用することにより、グレンタンク（５）が機台(２ａ)の外側方へ回動する。
【０００９】
請求項２に係る発明は、前記第１のロック機構（１３）に連結するワイヤー（１３ｂ）を、張出部（５ａ）の下面とグレンタンク（５）の前壁（５ｂ）および奥壁（５ｄ）に沿って配索し、前記第２のロック機構（１４）に連結するワイヤー（１４ｂ）を、張出部（５ａ）の下面とグレンタンク（５）の前壁（５ｂ）の下部に沿って配索したことを特徴とする請求項１記載のコンバインとする。
上記グレンタンク（５）周りには、第１のロック機構（１３）に連結するワイヤー（１３ｂ）および第２のロック機構（１４）に連結するワイヤー（１４ｂ）を、張出部（５ａ）の張出範囲（Ａ）内の下方の位置に設けた操作レバー（１６）から最短距離で配索される。
【発明の効果】
【００１０】
請求項１記載の発明によると、操作レバー（１６）の引き操作によってグレンタンク（５）を回動させる際に、ワイヤーの作動によって２つのロック機構（１３，１４）が解除されるとともに、操作レバー（１６）による機体外側方向への操作力とグレンタンク（５）の後部の縦支軸（１２ａ，１２ｂ）までの距離とによる回動モーメントがグレンタンク（５）に作用して機台(２ａ)の外側方へ回動することから、張出部（５ａ）によって凹凸形状を有するグレンタンク（５）について複雑なリンク機構を要することなく、簡易なワイヤー配索によりロック機構を係脱操作できるとともに操作性を確保しうる伝動系を構成することができ、また、張出部（５ａ）の張出範囲（Ａ）内の下方の位置に設けた操作レバー（１６）により、張出部（５ａ）を含むグレンタンク（５）の全長寸法を生かして容易に回動操作することができ、このグレンタンク（５）に隠れていた部位のメンテナンスを容易に行なうことができる。
【００１１】
請求項２記載の発明によると、上記請求項１記載の発明の効果を奏するうえに、第１のロック機構（１３）に連結するワイヤー（１３ｂ）および第２のロック機構（１４）に連結するワイヤー（１４ｂ）を、張出部（５ａ）の張出範囲（Ａ）内の下方の位置に設けた操作レバー（１６）から最短距離で配索でき、グレンタンク（５）を外側方へ回動させる際にこれらのワイヤー（１３ｂ，１４ｂ）が機体側に引っ掛かりにくく、グレンタンク（５）の回動操作を円滑に行なうことができる。
【図面の簡単な説明】
【００１２】
【図１】本発明を汎用型コンバインに適用した１例を示す側面図
【図２】グレンタンクの側面図
【図３】グレンタンクの平面図
【図４】グレンタンクの要部拡大による側面図
【図５】グレンタンクの要部拡大による正面図
【図６】一番昇降装置の要部を表す平面図（ａ）、側面図（ｂ）、部分破断による正面図（ｃ）
【図７】穀粒送出口部の部分破断を含む要部拡大平面図
【図８】穀粒送出口部の部分破断を含む分解構成図
【発明を実施するための形態】
【００１３】
上記技術思想に基づいて具体的に構成された実施の形態について以下に図面を参照しつつ説明する。
図１は、本発明を汎用型コンバインに適用した１例を示す側面図である。
コンバイン１は、圃場走行可能な走行装置２を備えた機体の前部で昇降可能に穀物を刈取る刈取装置３と、この刈取装置３が刈取った穀物をその後方で受けて脱穀する不図示の脱穀装置４と、この脱穀装置４によって脱穀された穀物をその側方位置で収容するグレンタンク５と、このグレンタンク５とその前方の刈取装置３との間でオペレータが各種機器を操作するための操縦部６とを備えて構成される。この操縦部６の下方には原動部Ｅが配置される。
【００１４】
グレンタンク５は、その前側に位置する補機を含む原動部の大容量化に対応しつつ穀物の収容容量の拡大を図るため、また、汎用型コンバインにおける脱穀装置の揚穀部の構成に伴い、グレンタンク５の前側上部に張出部５ａを膨出して形成される。また、メンテナンスの際に機体中央部を開放できるように、走行装置２によって支持される機台２ａからその外側方にグレンタンク５が回動展開可能に構成される。
【００１５】
グレンタンク５について詳細に説明すると、図２、図３にそれぞれ側面図、平面図を示すように、張出部５ａは、グレンタンク５の箱型前縁部を画成する前壁５ｂの上部から更に前方にを膨出し、その下側を前壁５ｂから前端に至る傾斜面５ｃとする。
【００１６】
グレンタンク５の後方には、同グレンタンク５と連通して収容穀物を高位排出するための縦オーガ１１を起立し、この縦オーガ１１の近傍に縦軸線を回動中心とする縦支軸１２ａ，１２ｂを設け、この縦支軸１２ａ，１２ｂによってグレンタンク５を機体外側方に回動展開可能に軸支するとともに、その回動展開動作を規制する第１と第２の２つのロック機構１３，１４を設ける。
【００１７】
第１のロック機構１３は、グレンタンク５の脱穀装置４側を高い位置で係止固定して主としてグレンタンク５の左右方向の安定を確保する可動フック１３ａによって構成し、第２のロック機構１４は、タンク後部の縦支軸１２ａ，１２ｂから遠い位置にある前壁５ｂの下部を機台２ａに係止固定して主としてグレンタンク５の回動を規制する上下スライド動作可能なロックピン１４ａによって構成する。
【００１８】
また、グレンタンク５の要部拡大による側面図と正面図をそれぞれ図４、図５に示すように、張出部５ａの傾斜面５ｃから下方に延びるフレーム１５を張出範囲Ａ内に取付け、このフレーム１５に設けた支軸１６ａに操作レバー１６を軸支する。この操作レバー１６から可動フック１３ａまで傾斜面５ｃから前壁５ｂを経てグレンタンク５の奥側にガイド構成による制御用のワイヤ１３ｂを配索し、同様に、操作レバー１６からロックピン１４ａまで傾斜面５ｃから前壁５ｂの下部に沿ってワイヤ１４ｂを配索することにより、機体外側から操作レバー１６を引き方向Ｂに操作することによるワイヤ制御を介して第１のロック機構１３と第２のロック機構１４を共に係止解除可能に構成する。
即ち、第１のロック機構１３に連結するワイヤー１３ｂを、張出部５ａの下面とグレンタンク５の前壁５ｂおよび奥壁５ｄに沿って配索し、第２のロック機構１４に連結するワイヤー１４ｂを、張出部５ａの下面とグレンタンク５の前壁５ｂの下部に沿って配索する。
【００１９】
また、第１のロック機構１３の動き代を大きく、第２のロック機構１４の動き代を小さく構成することにより、第２のロック機構１４が先に解除され、後から第１のロック機構１３が解除されることから、確実なロック解除が可能となる。そのほか、ロックピン１４ａには、スプリング１７とスプリングホルダ１７ａを設ける。
【００２０】
上述の如く構成したコンバイン１は、張出部５ａを膨出したグレンタンク５について、第１と第２の２つのロック機構１３，１４によって機台２ａに係止固定され、また、張出部５ａの下方の張出範囲内に設けた操作レバー１６を機体外側部から引方向Ｂに操作することにより、それぞれのワイヤー１３ｂ、１４ｂを介して２つのロック機構１３，１４の係止固定を解除することができ、この時、操作レバー１６による機体外側方向Ｂへの操作力と、その作用点からグレンタンク５の後部の支点である縦支軸１２ａ，１２ｂまでの距離Ｃとによる回動モーメントがグレンタンク５に作用することにより、張出部５ａを膨出したグレンタンク５が機台２ａの外側方へ回動展開される。
【００２１】
したがって、上記２つのロック機構１３，１４は、張出部５ａによる凹凸形状を有するグレンタンク５について複雑なリンク機構を要することなく、簡易なワイヤー配索により系脱制御できるとともに操作性を確保することができ、かつ、張出部５ａの前方への張出範囲Ａ内の下方の位置に設けた操作レバー１６により、張出部５ａを含むグレンタンク５の全長寸法Ｃを生かした容易に回動展開操作を確保することができる。
【００２２】
（穀粒投入口部）
次に、グレンタンク５の穀粒投入口部について説明する。
汎用コンバインにおいては、図６の平面図（ａ）、側面図（ｂ）、部分破断による正面図（ｃ）に示すように、グレンタンク５に脱穀穀物を貯留するための投入口部に臨んで脱穀装置４の一番昇降装置２１を配置し、この一番昇降装置２１のバケットコンベヤ２２から穀物を受ける位置に穀物拡散用のレベリングファン２３が備えられる。
【００２３】
レベリングファン２３は、ケース２４の中で回転駆動される回転板２５に金属板による複数の拡散羽根２６を放射状に起設し、さらに、各拡散羽根２６の基部に挟み付けるように取付けた弾性板２７を回転板２５のスリットから下面側に突設し、その下端縁を下部ケーシング２８に接するように配置する。回転板２５は、バケットコンベヤ２２の従動軸２２ａからチェーン伝動を受けるベベルギヤ軸２５ａによって駆動する。また、複数の拡散羽根２６はバランスをとって振動を抑えるために、等分配置に構成する。
【００２４】
このように一番昇降装置２１のレベリングファン２３を構成することにより、バケットコンベヤ２２から受けた穀粒を回転板２５と複数の拡散羽根２６によってグレンタンク５の内部に拡散投入し、その際、穀粒が回転板２５の外周部から下面側に入り込んでも、各拡散羽根２６の下方に延びる弾性板２７が回転板２５の回転とともに下部ケーシング２８上の穀粒をグレンタンク５内に掃き出すことから、回転板２５のベアリングの破損や下部ケーシング２８に穀粒が残留するという問題を解決することができる。
【００２５】
（穀粒送出口部）
次に、グレンタンク５の穀粒送出口部について説明する。
グレンタンク５の穀粒送出口部は、図７の部分破断を含む要部拡大平面図に示すように、グレンタンク５の底部で貯留穀粒を後送するタンク螺旋３１から高位排出用の縦オーガ１１に至る間を短い螺旋によって中継するリレー螺旋３２を縦オーガ１１の基部を支持するロワーメタル３３に配置し、これらタンク螺旋３１とリレー螺旋３２の相互間を係合機構によって系脱可能に連結することにより、伝動系を内設した穀粒送出路を展開可能に構成する。
【００２６】
詳細には、穀粒送出口部の分解構成図を図８に示すように、リレー螺旋３２は、１条の短い螺旋体３２ａを中空状の中心軸３４に一体に形成し、その先端部に係合部３４ａを形成してタンク螺旋３１の後端部３１ａと系脱可能に係合して回転動力を伝達し、この係合部３４ａの近傍には嵌合固定によって軸側動力を受けるための多面嵌合孔３４ｂを形成する。また、中心軸３４の後端部には円板状のエンドプレート３５を取付け、縦オーガ１１に穀粒を移行させる複数の羽根板３６…を螺旋体３２ａとエンドプレート３５との間に放射状に等間隔で設け、その中の１枚の羽根板３６に螺旋体３２ａの後端を接続する。
【００２７】
このリレー螺旋３２を挿通固定して片持ちに支持するための後端支軸３７を縦オーガ１１の基部に設けたギヤボックス３７ａに前後の軸受３７ｂ，３７ｃによって軸支した上で、リレー螺旋３２より大径の円板による仕切板３８とリレー螺旋３２とをこの順番に後端支軸３７に装着する。仕切板３８はそのボス３８ａの後面側を前側の軸受３７ｂの内輪に接し、同ボス３８ａの前面側にリレー螺旋３２の中心軸３４を外嵌し、また、後端支軸３７を多面嵌合孔３４ｂに挿通嵌合した上でこれら仕切板３８とリレー螺旋３２をナットによって一体に締結固定する。
【００２８】
また、後端支軸３７には、その軸端にプーリ３９を取付けて回転動力を受け、リレー螺旋３２を介してグレンタンク５のタンク螺旋３１に伝動するとともに、後端支軸３７に取付けたベベルギヤ４０によってギヤボックス３７ａから回転動力を分岐して縦オーガ１１のロワー螺旋１１ａに伝動する。
【００２９】
上記リレー螺旋３２によって構成した穀粒送出口部は、螺旋体３２ａを羽根板３６と連結することによって螺旋体３２ａの強度を確保でき、また、エンドプレート３５を仕切板３８より小径に形成することで塵の排出が促進されるとともに、螺旋メタル内径より大径の仕切板３８の回転によっても塵が効率よく排出される。また、複数の羽根板３６…をエンドプレート３５と連結することにより、オーガ途中での再排出する際の起動負荷を軽減することができる。
【００３０】
リレー螺旋３２は、大径の仕切板３８と別体に構成することにより、ギヤボックス３７ａの分解を要することなく片持ちの後端支軸３７から外して容易にメンテナンスすることができる。また、リレー螺旋の先端を軸支する従来の複雑な構成を要することなく、プーリ３９からの伝動系を簡易に構成することができる。
【符号の説明】
【００３１】
１      コンバイン
２ａ    機台
４      脱穀装置
５      グレンタンク
５ａ    張出部
５ｃ    傾斜面
５ｂ    前壁
５ｄ    奥壁
１２ａ  縦支軸
１２ｂ  縦支軸
１３    ロック機構
１３ａ  可動フック
１３ｂ  ワイヤ
１４    ロック機構
１４ａ  ロックピン
１４ｂ  ワイヤ
１５    フレーム
１６    操作レバー
１６ａ  支軸
Ａ      張出範囲
Ｂ      機体外側方向
Ｃ      全長寸法
【図１】
2011109957.tif 000003
【図２】
2011109957.tif 000004
【図３】
2011109957.tif 000005
【図４】
2011109957.tif 000006
【図５】
2011109957.tif 000007
【図６】
2011109957.tif 000008
【図７】
2011109957.tif 000009
【図８】
2011109957.tif 000010